(57)【要約】【課題】尿モレを防止し、且つ装着に手間のかからない男性用の吸収性物品を提供する。【解決手段】人体に接する面に設けられた内面シート２と、内面シート２よりも外側に設けられた外面シート３と、内面シート２と外面シート３との間に、腹側部１Ａから股下部１Ｃを通って背側部１Ｂにかけて設けられた吸収体４と、を備える使い捨てパンツタイプ紙おむつ１において、腹側部１Ａに、一部が吸収体４と重なるように伸縮性の帯状部材１０を設けた。【選択図】図１
2005287693.tif 000002
【特許請求の範囲】
【請求項１】
人体に接する面に設けられた内面シートと、前記内面シートよりも外側に設けられた外面シートと、前記内面シートと前記外面シートとの間に、腹側部から股下部を通って背側部にかけて設けられた吸収体と、を備える吸収性物品において、
前記腹側部に、一部が前記吸収体と重なるように伸縮性の帯状部材が設けられていることを特徴とする吸収性物品。
【請求項２】
前記腹側部の腹側側端部と、前記背側部の背側側端部とが各々接合されて形成された側方接合部を備え、
装着時において、前記帯状部材の下端部が、前記側方接合部の最下端部よりも下方に位置することを特徴とする請求項１に記載の吸収性物品。
【請求項３】
前記帯状部材は、前記腹側部の一方の腹側側端部から他方の腹側側端部に亘って設けられていることを特徴とする請求項１又は２に記載の吸収性物品。
【発明の詳細な説明】
【技術分野】
【０００１】
本発明は、吸収性物品に関する。
【背景技術】
【０００２】
従来、吸収性物品である使い捨てパンツタイプ紙おむつにおいては、体液のモレを防ぐために様々な工夫がなされてきた。特に男性用の使い捨てパンツタイプ紙おむつに関しては、装着者が横になった際に男性器が横や上を向き、排尿口が吸収体から外れることによって、排出された体液が吸収体に吸収されずに発生するモレを防止するために、排尿口が吸収体から外れないよう保持するための工夫がなされてきた。例えば、装着時に排尿口が位置する領域の近傍に複数本のシャーリングを施すことによって男性器を適当な位置で保持したり（例えば、特許文献１）、吸収体に男性器を収納するためのポケットを設けてこのポケットに男性器を収納してずれを防いだり（例えば、特許文献２）する等の工夫がなされてきた。
【特許文献１】特許第３１４２０４５号
【特許文献２】特開２００２−０５２０４１号公報
【発明の開示】
【発明が解決しようとする課題】
【０００３】
しかし、特許文献１の使い捨てパンツタイプ紙おむつにおいては、シャーリングは一本一本が伸び縮みするため、シャーリング間で隙間が生じ、その隙間に沿って体液が漏れてしまうおそれがあった。また、特許文献２に挙げられる使い捨てパンツタイプ紙おむつは、装着時に男性器をポケット内に収納する必要があるため、装着者や介護者の手間となっていた。
そこで、本発明の課題は、尿モレを防止し、且つ装着に手間のかからない男性用の吸収性物品を提供することである。
【課題を解決するための手段】
【０００４】
前述した課題を解決するために、請求項１に記載の発明は、人体に接する面に設けられた内面シートと、前記内面シートよりも外側に設けられた外面シートと、前記内面シートと前記外面シートとの間に、腹側部から股下部を通って背側部にかけて設けられた吸収体と、を備える吸収性物品において、前記腹側部に、一部が前記吸収体と重なるように伸縮性の帯状部材が設けられていることを特徴とする。
【０００５】
請求項２に記載の発明は、請求項１に記載の吸収性物品において、前記腹側部の腹側側端部と前記背側部の背側側端部とが各々接合されて形成された側方接合部を備え、装着時において、前記帯状部材の下端部が、前記側方接合部の最下端部よりも下方に位置することを特徴とする。
【０００６】
請求項３に記載の発明は、請求項１又は２に記載の吸収性物品において、前記帯状部材は、前記腹側部の一方の腹側側端部から他方の腹側側端部に亘って設けられていることを特徴とする。
【発明の効果】
【０００７】
請求項１に記載の発明によれば、伸縮性を有する帯状部材によって男性器を押さえ付けることができるので、従来のシャーリングのような線圧による押さえ付けではなく、面圧によって均等に押さえ付けることができる。
これにより、男性器が確実に押さえ込まれることとなって、排尿時の尿の排出方向が制御されるため、尿モレを防止することができる。
また、吸収体にポケットを設けなくても、尿モレを防止することができることとなって、装着者や介護者が、手間をかけずに吸収性物品を装着することができる。
【０００８】
請求項２に記載の発明によれば、男性器を押さえ込む帯状部材の下端部が、側方接合部の最下端部よりも下方に位置することとなる。
これにより、請求項１に記載の発明と同様の効果が得られるのは無論のこと、特に、より確実に男性器を押さえ込むことができるため、より確実に尿モレを防止することができる。
【０００９】
請求項３に記載の発明によれば、帯状部材が腹側部の一方の腹側側端部から他方の側端部に亘って設けられることとなる。
これにより、請求項１又は２に記載の発明と同様の効果が得られるのは無論のこと、特に、帯状部材によって腹側部の広範囲（一方の腹側側端部から他方の腹側側端部に亘る全幅）に亘って男性器を押さえ込む力が加えられ、より確実に男性器が押さえ込まれることとなり、さらに確実に尿モレを防止することができる。
【発明を実施するための最良の形態】
【００１０】
（実施形態１）
以下、本発明の実施形態１を、図面を参照しながら詳細に説明する。
本実施形態においては、吸収性物品としての使い捨てパンツタイプ紙おむつを一例として説明する。
図１は本願発明の使い捨てパンツタイプ紙おむつを適用した実施形態１の使い捨てパンツタイプ紙おむつの斜視図である。図２は図１の展開図であって、図3は図２のＡ−Ａ´線での断面図である。
【００１１】
図１、２に示すように、使い捨てパンツタイプ紙おむつ（以下、「紙おむつ」という。）１は、人体に接する面に設けられた内面シート２と、内面シート２と反対側に設けられた外面シート３と、内面シート２と外面シート３との間に、装着者が装着した際に、装着者の腹側に位置する腹側部１Ａから、股下に位置する股下部１Ｃを通って、背側に位置する背側部１Ｂにかけて介装される吸収体４と、ギャザー押さえシート７と、漏れ防止シート８と、帯状部材１０と、複数の弾性部材９１、９２、９３と、等を備える。
【００１２】
また、紙おむつ１は、装着者の腰回りを保持する腰回り部５０を形成する一箇所の腰回り開口部５と、装着者の脚回りを保持する脚回り部６０を形成する二箇所の脚回り開口部６、６と、腰回り開口部５と脚回り開口部６、６との最短距離となる位置に、側方接合部１２、１２を有する。より詳細には、腹側部１Ａの側端部（以下、「腹側側端部」という。）１１Ａ、１１Ａと背側部１Ｂの側端部（以下、「背側側端部」という。）１１Ｂ、１１Ｂとが接合されて、側方接合部１２、１２が形成される。つまり、腰回り部６０は、腹側部１Ａ、背側部１Ｂ及び側方接合部１２、１２によって形成される。
【００１３】
内面シート２は、紙おむつ１を装着した際に人体に接する面に設けられ、体液を受けて、吸収体４まで輸送する役割を果たす、透液性のシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維の例としては、綿、セルロース（木材パルプ）、羊毛、絹、麻等が挙げられる。
また、化学繊維の例としては、ポリエチレン（ＰＥ）やポリプロピレン（ＰＰ）等のオレフィン系、ポリエステルを含むポリエステル系、ナイロンやアラミド等のポリアミド系、ポリアクリロニトリル（ＰＡＮ）等のアクリル系といった合成繊維の他、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他、上記素材を適宜組み合わせたバイコンポーネント繊維（混合繊維）等も用いることができる。
【００１４】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法等の湿式法、接着剤で接合させるケミカルボンド法や、低融点ポリマー及び自己溶融繊維で接合させるサーマルボンド法等の乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００１５】
外面シート３は、おむつ１を装着した際に人体に接する面と反対側の面に設けられ、体液などのおむつ１外部への染み出し、漏れ出しを防ぐ役割を果たす。
外面シート３としては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
尚、上記に挙げたシート以外にも、外面シート３として好適なシートを、適宜用いることができる。
【００１６】
吸収体４は、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）等により覆われて構成されている。吸収体４は、単層構造であっても良いし、複数層に分かれた構造でも構わない。吸収体４は、人体の腹側部１Ａから両脚の間の股下部１Ｃを通り背側部１Ｂに至る位置に装着されている。
【００１７】
ギャザー押さえシート７は、外面シート３の内側に配された、腹回りギャザーとしての弾性部材９２及び脚回りギャザーとしての弾性部材９３を押さえ込んで、紙おむつ１の未使用時及び使用時の弾性部材９２、９３のずれやよれを防ぐ働きをなす。
ギャザー押さえシート７としては、透液性、不透液性いずれを用いてもよく、透液性シートを用いる場合は、例えば、内面シート２で挙げたシートを用いることができ、不透液性シートを用いる場合は、例えば、外面シート３で挙げたシートを用いることができる。
【００１８】
漏れ防止シート８は、紙おむつ１装着時に装着者の腰回りに配される不透液性のシートであって、吸収体４が吸収しきれなかった体液、若しくは一旦吸収体４が吸収した後、体圧などにより染み出した体液の、紙おむつ１外部への漏れ出しを防止するのみならず、腰回りギャザーとしての弾性部材９１を上面から押さえ込んで、紙おむつ１の未使用時及び使用時の弾性部材９１のずれやよれを防ぐ働きをなす。
漏れ防止シート８に供する不透液性シートとしては、例えば、外面シート３で挙げたシート等を用いることができる。
【００１９】
側方接合部１２は、内面シート３や、漏れ防止シート８等によって形成される腹側部１Ａの二箇所の腹側側端部１１Ａ、１１Ａと、同様に外面シート３や、漏れ防止シート８等によって形成される背側部１Ｂの二箇所の背側側端部１１Ｂ、１１Ｂとを、例えば、ホットメルトや、ヒートシール、超音波シール等により接合することによって形成され、装着時には装着者の腰周辺、両脇部分に位置することとなる。
本実施形態においては、側方接合部１２は、左右両側方、計二箇所に設けられる。より詳細には、紙おむつ１の腹側部１Ａを腹にあて、背側部１Ｂを背にあてて装着した際に、装着者の右手側腰部と、左手側腰部に、側方接合部１２が位置する。
側方接合部１２の、腰回り開口部５側の端部を側方接合上端部１２ａとし、最下端部である、脚回り開口部６側の端部を側方接合下端部（以下、「下端部」という。）１２ｂとする。
尚、各部位の位置関係を説明する際の紙おむつ１の向きとしては、上記に示した様に、腹側部１Ａを装着者の腹側に、背側部１Ｂを背側に、股下部１Ｃを股下にあてて装着した際の紙おむつ１の向きとする。
【００２０】
腰回りギャザーとしての弾性部材９１は、腰回り開口部５の近傍の腰回り部５０に設けられ、腹回りギャザーとしての弾性部材９２は、弾性部材９１の下方の腰回り部５０に設けられている。脚回りギャザーとしての弾性部材９３は、脚回り開口部６近傍の脚回り部６０、６０に設けられている。
これらの弾性部材９１、９２及び９３が施されていることにより、装着者の腰回り及び脚回りで紙おむつ１が好適に密着することとなり、フィット感を上げることが実現するのみならず、腰回り開口部５及び脚回り開口部６、６からのモレを防ぎ、使用感を向上させることができる。
腰回りギャザーとしての弾性部材９１、腹回りギャザーとしての弾性部材９２、脚回りギャザーとしての弾性部材９３としては、例えば糸ゴムを利用することができる。
【００２１】
次に、本発明の特徴である帯状部材１１について説明する。
帯状部材１０は、伸縮性を有する材料からなる。帯状部材１０が有する伸縮応力としては、例えば、５０％伸長した場合の荷重が１００〜５００ｇ／２５ｍｍであることが好ましい。
帯状部材１０を形成する素材としては、例えば、ポリオレフィン系、ポリウレタン系、ポリエステル系またはポリスチレン系等の熱可塑性エラストマーが挙げられ、これらによって形成された、フィルム状、ネット状、編物状または不織布状の伸縮性シートを好適に用いることができる。
【００２２】
帯状部材１０は、紙おむつ１装着時に、腹側部１Ａの領域に、腹側部１Ａの幅方向に対して全幅に亘って設けられる。この時、帯状部材１０の一部は吸収体４と重なるように設けられる。さらに、帯状部材１０の下端部１０ｂは、側方接合部１２の下端部１２ｂよりも下方に位置する。即ち、帯状部材１０の下端部１０ｂは、側方結合部１１の下端１１ｂよりも股下部１Ｃ側に位置する。
一方、帯状部材１０の上端部１０ａは、側方接合部１２の下端部１２ｂよりも上方に位置する。
帯状部材１０の縦方向（腹側部１Ａ又は背側部１Ｂから股下部１Ｃに亘る方向）の長さは、好ましくは６０ｍｍ以上であって、帯状部材１０の上端部１０ａは、側方接合部１２の下端部１２ｂより上方１００ｍｍを超えない領域に位置する。
【００２３】
帯状部材１０は、外面シート３とギャザー押さえシート７との間であって、弾性部材９１、９２、９３と同じ位置に設けられているが、これらの間に限られることはなく、例えばギャザー押さえシート７と漏れ防止シート８との間、外面シート３のギャザー押さえシート非当接面等に設けても良い。
【００２４】
以上に説明した実施形態１に係る紙おむつ１によると、伸縮性を有する帯状部材１０が腹側部１Ａに設けられることとなる。
これにより、腹側部１Ａに男性器が位置した際に、帯状部材１０の伸縮力によって、男性器を、従来のシャーリングのような線圧ではなく、面圧によって均等に押さえ付けることができる。従って、排尿時の尿の排出方向が制御されるため、尿モレを防止することができる。
また、吸収体４にポケットを設けなくても、尿モレを防止することができることとなって、装着者や介護者が、手間をかけずに紙おむつ１を装着することができる。
【００２５】
また、帯状部材１０の下端部１０ｂが、側方接合部１２の下端部１２ｂよりも下方に位置することとなる。
これにより、より確実に帯状部材が吸収体上面にかかることとなって、吸収体上面で男性器を押さえ込むことができるため、より確実に尿モレを防止することができる。
【００２６】
さらに、帯状部材１０が、腹側部１Ａの一方の腹側側方部１１Ａから他方の腹側側方部１１Ａに亘って設けられることとなる。
これにより、帯状部材によって腹側部１Ａ全面に男性器を押さえ込む力が加えられることとなり、さらに確実に尿モレを防止することができる。
【００２７】
＜変形例＞
図４に、実施形態１における変形例の使い捨てパンツタイプ紙おむつ（以下、「紙おむつ」という。）１００の斜視図を示した。
図４の変形例の紙おむつ１００を説明するにあたっては、実施形態１の紙おむつ１と同様の構成については、同一の符号を付し、詳細な説明は省略する。
図４の紙おむつ１００の場合、帯状部材が備えられている点については図１の実施形態１の紙おむつ１と同一だが、帯状部材の幅が紙おむつ１と異なる。
帯状部材１１０は、腹側部１Ａに、その一部が吸収体４と重なるように設けられている。また、帯状部材１１０の上端部１１０ａと下端部１１０ｂは、側方接合部１２の下端部１２ｂを挟んで上方及び下方に位置してなる。
そして、その幅は、腹側部１Ａの幅方向（一方の腹側側方部から他方の腹側側方部に亘る方向）全幅に対して例えば約２／３の幅で設けられており、即ち、吸収体４の短手方向の長さ（即ち、吸収体４の幅）よりも両側方にやや延出する程度の幅で設けられている。
【００２８】
図４における紙おむつ１００においては、帯状部材１１０の幅を短くすることができることとなり、帯状部材１１０に用いる部材の材料費を抑えることができる。
【図面の簡単な説明】
【００２９】
【図１】本願発明の吸収性物品を適用した実施形態１の使い捨てパンツタイプ紙おむつの斜視図である。
【図２】図１の使い捨てパンツタイプ紙おむつの展開図である。
【図３】図２のＡ−Ａ´線での断面図である。
【図４】図１の使い捨てパンツタイプ紙おむつの変形例を示す斜視図である。
【符号の説明】
【００３０】
１、１００  使い捨てパンツタイプ紙おむつ
１Ａ  腹側部
１Ｂ  背側部
１Ｃ  股下部
２  内面シート
３  外面シート
４  吸収体
５  腰回り開口部
６  脚回り開口部
５０  腰回り部
６０  脚回り部
７  ギャザー押さえシート
８  漏れ防止シート
９１、９２、９３  弾性部材
１０、１１０  帯状部材
１０ａ、１１０ａ  上端部
１０ｂ、１１０ｂ  下端部
１１Ａ  腹側側端部
１１Ｂ  背側側端部
１２  側方接合部
１２ａ  側方接合上端部
１２ｂ  側方接合下端部
【図１】
2005287693.tif 000003
【図２】
2005287693.tif 000004
【図３】
2005287693.tif 000005
【図４】
2005287693.tif 000006